(57)【要約】【課題】簡便な構成でフラットケーブルを固定する。【解決手段】  複数の電線を帯状に束ねたフラットケーブルを固定するケーブル固定具であって、フラットケーブルの幅より広い幅の略矩形の開口を有する、平板形状の本体と、フラットケーブルの幅方向について開口の一端で本体と連結し、開口に対向して本体と平行に開口の他端へ向けて延伸してケーブルの長さ方向について本体の開口よりも短い平板形状を有し、本体と対向する面と本体との間でフラットケーブルを厚さ方向について挟む舌部と、フラットケーブルの幅方向について開口の他端近傍から舌部における本体と対向する面上まで突出し、フラットケーブルが幅方向について抜け出ることを防ぐ抜け止め部とを備える。【選択図】図５
2005218187.tif 000002
【特許請求の範囲】
【請求項１】
複数の電線を帯状に束ねたフラットケーブルを固定するケーブル固定具であって、
前記フラットケーブルの幅より広い幅の略矩形の開口を有する、平板形状の本体と、
前記フラットケーブルの幅方向について前記開口の一端で前記本体と連結し、前記開口に対向して前記本体と平行に前記開口の他端へ向けて延伸して前記フラットケーブルの長さ方向について前記本体の前記開口よりも短い平板形状を有し、前記本体と対向する面と前記本体との間で前記フラットケーブルを厚さ方向について挟む舌部と、
前記フラットケーブルの幅方向について前記開口の前記他端の近傍から前記舌部における前記本体と対向する面上まで突出し、前記フラットケーブルが幅方向について抜け出ることを防ぐ抜け止め部と
を備えるケーブル固定具。
【請求項２】
前記フラットケーブルの厚み方向における前記本体と前記舌部との間隙は、前記フラットケーブルの厚さよりも小さい請求項１に記載のケーブル固定具。
【請求項３】
前記フラットケーブルの長さ方向について互いに対向する前記開口の一対の縁は、前記舌部と対向する側において前記開口に近いほど漸次薄くなる傾斜面をそれぞれ有する請求項１に記載のケーブル固定具。
【請求項４】
前記舌部は、前記開口の前記他端の近傍であって前記開口と対向する側において前記他端に近いほど漸次薄くなる傾斜面を有する請求項１に記載のケーブル固定具。
【請求項５】
前記抜け止め部は、前記開口の前記一端から遠いほど漸次低くなる傾斜面を有する請求項１に記載のケーブル固定具。
【請求項６】
前記舌部における前記開口の前記他端に対向する縁は、前記開口の前記他端よりも内側に配される請求項１に記載のケーブル固定具。
【請求項７】
前記フラットケーブルは前記電線を含む複数の凸部、および、前記複数の凸部の間に配され前記複数の凸部の厚みよりも薄い凹部を有し、
前記本体および前記舌部は、二つの前記フラットケーブルを、前記凸部と前記凹部が互い違いに重ねられた状態で挟む請求項１から６のいずれかに記載のケーブル固定具。
【発明の詳細な説明】
【技術分野】
【０００１】
本発明は、ケーブル固定具に関する。特に、本発明は、複数の電線を帯状に束ねたフラットケーブルを固定するケーブル固定具に関する。
【背景技術】
【０００２】
従来、複数の電線を帯状に束ねたフラットケーブルが、電気機器内部に引き回されて、複数の電気的信号を伝達する信号線として用いられている。電気機器内部に引き回されたフラットケーブルは、電子機器内部の他の部品と物理的に干渉することを避けるため、電子機器本体等、電子機器の一部に固定される。
【０００３】
フラットケーブルを電子機器本体等に固定するケーブル固定具として、電子機器本体に固定される固定部と、固定部の上方においてフラットケーブルを保持する保持部と、保持部に対して開閉可能であって、保持部に対して閉じられた場合に保持部との間にフラットケーブルを挟み込むクランプを有するものがある（例えば、特許文献１を参照）。
【０００４】
また、他のケーブル固定具として、フラットケーブルの端部が挿入され、挿入された端部を押圧する抜け止め片を設けると共に、ケーブル固定具をフラットケーブルの長さ方向について基板に垂直に挿入して係止するものがある（例えば、特許文献２を参照）。
【特許文献１】特開２００３−７９０３５号公報
【特許文献２】特開平９−２７３６１号公報
【発明の開示】
【発明が解決しようとする課題】
【０００５】
しかしながら、特許文献１に記載されたケーブル固定具の場合には、フラットケーブルを固定する場合に、クランプが開閉する空間を予め確保する必要があるという課題がある。また、上記ケーブル固定具の場合には、保持部とクランプとでフラットケーブルを挟むため、フラットケーブルの厚さ方向についてケーブル固定具の大きさが大きくなるという課題がある。
【０００６】
一方、特許文献２に記載されたケーブル固定具の場合には、ケーブル固定具はフラットケーブルの長さ方向について基板に対して垂直に係止されるので、フラットケーブルの端部を固定することができるが、フラットケーブルの端部以外を固定することが困難であるという課題がある。
【課題を解決するための手段】
【０００７】
上記課題を解決するために、本発明の第１の形態においては、複数の電線を帯状に束ねたフラットケーブルを固定するケーブル固定具であって、フラットケーブルの幅より広い幅の略矩形の開口を有する、平板形状の本体と、フラットケーブルの幅方向について開口の一端で本体と連結し、開口に対向して本体と平行に開口の他端へ向けて延伸してフラットケーブルの長さ方向について本体の開口よりも短い平板形状を有し、本体と対向する面と本体との間でフラットケーブルを厚さ方向について挟む舌部と、フラットケーブルの幅方向について開口の他端の近傍から舌部における本体と対向する面上まで突出し、フラットケーブルが幅方向について抜け出ることを防ぐ抜け止め部とを備える。これにより、簡便な構成でフラットケーブルを固定することができる。
【０００８】
上記ケーブル固定具において、フラットケーブルの厚み方向における本体と舌部との間隙は、フラットケーブルの厚さよりも小さくてもよい。これにより、ケーブル固定具の本体と舌部との間で、フラットケーブルを確実に挟むことができる。
【０００９】
上記ケーブル固定具において、フラットケーブルの長さ方向について互いに対向する開口の一対の縁は、舌部と対向する側において開口に近いほど漸次薄くなる傾斜面をそれぞれ有してもよい。これにより、フラットケーブルの長さ方向について、開口の傾斜面がフラットケーブルを呼び込むので、フラットケーブルをケーブル固定具に組み込むことが容易となる。また、ケーブル固定具の舌部と開口の縁の傾斜面との間でフラットケーブルを挟むので、開口の縁におけるフラットケーブルの断線を防ぐことができる。
【００１０】
上記ケーブル固定具において、舌部は、開口の他端の近傍であって開口と対向する側において他端に近いほど漸次薄くなる傾斜面を有してもよい。これにより、フラットケーブルの幅方向について、舌部の傾斜面がフラットケーブルを呼び込むので、フラットケーブルをケーブル固定具に組み込むことが容易となる。
【００１１】
上記ケーブル固定具において、抜け止め部は、開口の一端から遠いほど漸次低くなる傾斜面を有してもよい。フラットケーブルの幅方向について、抜け止め部の傾斜面がフラットケーブルを呼び込むので、フラットケーブルをケーブル固定具に組み込むことが容易となる。
【００１２】
上記ケーブル固定具において、舌部における開口の他端に対向する縁は、開口の他端よりも内側に配されてもよい。これにより、フラットケーブルを開口に容易に呼び込むことができる。
【００１３】
上記フラットケーブルは電線を含む複数の凸部、および、複数の凸部の間に配され複数の凸部の厚みよりも薄い凹部を有し、本体および舌部は、二つのフラットケーブルを、凸部と凹部が互い違いに重ねられた状態で挟んでもよい。これにより、二つのフラットケーブルを重ねて固定する場合に、互いに幅方向にずれることなく固定することができる。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【００１６】
図１は、本発明のケーブル固定具により固定されるフラットケーブル１００の一例を示す斜視図である。ただし、説明のためフラットケーブル１００を幅方向に切断した切断面も示している。このフラットケーブル１００は複数の電気的な信号を並列に一端から他端へ伝達する信号線であって、インクジェット式記録装置などの電気機器に用いられる。フラットケーブル１００は、他にフラット電線、リボンケーブル、または、リボン電線などと呼ばれることもある。
【００１７】
フラットケーブル１００は、例えば銅線など電気的な信号を伝達する複数の電線１１２と、この電線１１２の回りをそれぞれ絶縁物で覆った凸部１１０と、これら凸部１１０を連結する凹部１１４とを有する。凹部１１４は隣り合う凸部１１０の間に配され、凸部１１０の厚みよりも薄い。図１に示すフラットケーブル１００は、５個の凸部１１０、および、これら凸部１１０を連結する４個の凹部１１４を有する。凸部１１０および凹部１１４は、例えば弾性を有する樹脂により複数の電線１１２を覆って一体に形成される。
【００１８】
図１に示す点線は、フラットケーブル１００と重ねて固定される他のフラットケーブル１２０を示す。フラットケーブル１２０もフラットケーブル１００と同様に、凸部１３０および凹部１３４を有する。なお、図１に示すフラットケーブル１２０は、４個の凸部１３０、および、これら凸部１３０を連結する３個の凹部１３４を有する。
【００１９】
これらフラットケーブル１００とフラットケーブル１２０とが重ねて固定される場合に、凸部と凹部とが互いに、すなわち、フラットケーブル１００の凸部１１０とフラットケーブル１２０の凹部１３４とが重ねられ、かつ、フラットケーブル１００の凹部１１４とフラットケーブル１２０の凸部１３０とが重ねられる。これにより、フラットケーブル１００とフラットケーブル１２０とを重ねた場合の高さを低くして固定に必要な空間を小さくすることができると共に、幅方向について互いにずれることを防ぐことができる。
【００２０】
図２は、フラットケーブル１００およびフラットケーブル１２０を固定するケーブル固定具２００の斜視図を示し、図３は、図２に示すケーブル固定具２００を上面から見た平面図を示し、図４は、図３に示すケーブル固定具２００を一点鎖線で切断し矢印Ａの方向から見た断面図である。
【００２１】
図２から図４に示すように、ケーブル固定具２００は、略平板形状の本体２１０を有し、インクジェット式記録装置などの電気機器の本体に取り付けられる。この本体２１０は、略矩形の開口２２０を有する。開口２２０の幅（図３における一端２２２から他端２２４までの距離）は、ケーブル固定具２００に固定されるフラットケーブル１００の幅よりも広い。なお、以下、ケーブル固定具２００が図１に示すフラットケーブル１００およびフラットケーブル１２０を重ねて固定する場合を例にとって説明する。
【００２２】
ケーブル固定具２００はさらに、開口２２０の上方に配された舌部３００と、フラットケーブル１００の幅方向について開口２２０の他端２２４よりも内側に配された抜け止め部４００とを有する。これら舌部３００、抜け止め部４００および本体２１０は、例えば樹脂により一体的に形成される。ケーブル固定具２００の舌部３００、抜け止め部４００および本体２１０は、フラットケーブル１００およびフラットケーブル１２０を挟み込んで固定する。
【００２３】
舌部３００は、略平板形状であって、この略平板形状におけるフラットケーブル１００の幅方向について開口２２０の一端２２２でＬ字に屈曲した連結部３１０とを有する。連結部３１０は、開口２２０の一端２２２において本体２１０と連結する。舌部３００は、開口２２０に対向する対向面３２０と本体２１０との間にフラットケーブル１００の厚み方向の間隙を有して、連結部３１０側から本体２１０と平行に延伸する。フラットケーブル１００の厚み方向における本体２１０と舌部３００の対向面３２０との間隙は、フラットケーブル１００とフラットケーブル１２０の厚さの合計よりも小さい。これにより、ケーブル固定具２００の本体２１０と舌部３００の対向面３２０との間で、フラットケーブル１００およびフラットケーブル１２０を厚さ方向に確実に挟むことができる。なお、ケーブル固定具２００にフラットケーブル１００を固定する場合には、本体２１０と対向面３２０との間隙はフラットケーブル１００の厚みよりも小さく設定されてもよい。
【００２４】
また、舌部３００は、フラットケーブル１００の長さ方向（図３における上下方向）について、開口２２０よりも短い。すなわち、舌部３００の縁３４０は、開口２２０の縁２３２よりも内側に配される。さらに、舌部３００における連結部３１０と逆側の縁３５０は、開口２２０の他端２２４よりも内側に配される。この舌部３００の縁３５０には、対向面３２０側において縁３５０に近くなるほど漸次薄くなる傾斜面３３０が設けられる。
【００２５】
抜け止め部４００は、フラットケーブル１００の幅方向について開口２２０の他端２２４近傍において本体２１０から突出し、傾斜面４１０と頂部４２０とを有する楔形状を有する。頂部４２０の高さは、舌部３００の対向面３２０よりも高い。これにより、フラットケーブル１００および１２０が幅方向についてケーブル固定具２００から抜け出ることを防ぐことができる。傾斜面４１０は、開口２２０の一端２２２から遠い側の面に設けられ、一端２２２から遠いほど漸次低くなる。なお、抜け止め部４００における一端２２２に近い面は垂直に切り立っており、フラットケーブル１００および１２０が当接した場合に、フラットケーブル１００および１２０が抜け止め部４００を乗り越えて抜け出ることをより確実に防ぐ。
【００２６】
さらに、フラットケーブル１００の長さ方向（図３の上下方向）について互いに対向する開口２２０の一対の縁２３２は、舌部３００と対向する側において開口２２０に近いほど（すなわち、中央に向かって）漸次薄くなる傾斜面２３０をそれぞれ有する。本体２１０の傾斜面２３０と舌部３００との間でフラットケーブル１００および１２０を挟むので、開口２２０の縁におけるフラットケーブル１００および１２０の断線を防ぐことができる。
【００２７】
上記構成によるケーブル固定具２００に、フラットケーブル１００および１２０が重ねられた状態で、舌部３００の対向面３２０と対向する部分がコの字に曲げられて、舌部３００における縁３５０側から（図３の右側から）挿入される。この場合に、舌部３００の縁３５０には傾斜面３３０が設けられると共に、抜け止め部４００には傾斜面４１０が設けられているので、フラットケーブル１００および１２０は幅方向についてこれら傾斜面３３０および傾斜面４１０に呼び込まれて、頂部４２０を容易に乗り越えると共に、舌部３００の連結部３１０側により深く挿入される。また、傾斜面２３０が設けられているので、フラットケーブル１００および１２０の長さ方向について、傾斜面２３０がフラットケーブル１００および１２０を呼び込み、フラットケーブル１００および１２０をケーブル固定具２００に組み込むことがさらに容易となる。さらに、舌部３００の縁３５０が開口２２０の他端２２４よりも内側に配されているので、フラットケーブル１００および１２０を開口２２０に容易に呼び込むことができる。
【００２８】
図５は、ケーブル固定具２００がフラットケーブル１００および１２０を重ねて保持して固定している状態を示す斜視図である。フラットケーブル１００および１２０がコの字に曲げられて舌部３００と本体２１０との間に挿入された後にコの字に曲げていた力が解放されると、フラットケーブル１００および１２０の弾性に基づく復元力により、フラットケーブル１００および１２０は平らな状態に戻ろうとし、これにより舌部３００および本体２１０にそれぞれ当接するので、フラットケーブル１００および１２０は、舌部３００と本体２１０との間に確実に固定される。一方、フラットケーブル１００および１２０に復元力がなく、コの字に曲げられた力が開放された後にもコの字の形状を保つ場合には、コの字に曲げられたフラットケーブル１００および１２０の屈曲部が舌部３００と本体２１０との間に保持される一方で平らな部分はこの間に入り込めないので、フラットケーブル１００および１２０は長さ方向にずれることがなく舌部３００と本体２１０との間に確実に固定される。
【００２９】
ここで、上述のように、フラットケーブル１００の厚み方向における本体２１０と舌部３００の対向面３２０との間隙はフラットケーブル１００とフラットケーブル１２０の厚さの合計よりも小さいので、本体２１０と対向面３２０との間で、フラットケーブル１００およびフラットケーブル１２０を厚さ方向に確実に挟むことができる。また、本体２１０の傾斜面２３０と舌部３００との間でフラットケーブル１００および１２０を挟むので、フラットケーブル１００および１２０は、本体２１０と鈍角で当接する。よって、開口２２０の縁２３２におけるフラットケーブル１００および１２０の断線を防ぐことができる。
【００３０】
また、フラットケーブル１００の凸部１１０とフラットケーブル１２０の凹部１３４とが重ねられ、かつ、フラットケーブル１００の凹部１１４とフラットケーブル１２０の凸部１３０とが重ねられた状態で、本体２１０と舌部３００との間に挟まれているので、幅方向について互いにずれることを防ぐことができる。
【００３１】
さらに、フラットケーブル１２０よりも幅広であるフラットケーブル１００は、幅方向について連結部３１０と抜け止め部４００との間に挟まれているので、フラットケーブル１００およびフラットケーブル１２０が幅方向についてケーブル固定具２００から抜け出ることを防ぐことができる。さらに、頂部４２０の高さは、舌部３００の対向面３２０よりも高いので、フラットケーブル１００および１２０が平板形状の場合には対向面３２０および頂部４２０の両方に干渉する。よって、フラットケーブル１００および１２０が幅方向についてケーブル固定具２００から抜け出ることをより確実に防ぐことができる。
【００３２】
以上、本実施形態によれば、簡便な構成でフラットケーブル１００および１２０を固定することができる。
【００３３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００３４】
【図１】フラットケーブル１００の一例を示す斜視図である。
【図２】フラットケーブル１００および１２０を固定するケーブル固定具２００の斜視図である。
【図３】図２に示すケーブル固定具２００を上面から見た平面図である。
【図４】図３に示すケーブル固定具２００を一点鎖線で切断した断面図である。
【図５】ケーブル固定具２００がフラットケーブル１００およびフラットケーブル１２０を重ねて保持して固定している状態を示す斜視図である。
【符号の説明】
【００３５】
１００、１２０  フラットケーブル、１１０、１３０  凸部、１１２  電線、１１４  凹部、１３４  凹部、２００  ケーブル固定具、２１０  本体、２２０  開口、２２２  一端、２２４  他端、２３０  傾斜面、２３２  縁、３００  舌部、３１０  連結部、３２０  対向面、３３０  傾斜面、３４０  縁、３５０  縁、４００  抜け止め部、４１０  傾斜面、４２０  頂部
【図１】
2005218187.tif 000003
【図２】
2005218187.tif 000004
【図３】
2005218187.tif 000005
【図４】
2005218187.tif 000006
【図５】
2005218187.tif 000007